(57)【要約】【課題】放射性物質で汚染された水道水から放射性物質を確実に除去することができる水栓を提供することを課題とする。【解決手段】放射性物質で汚染された水道水（原水）中の不純物（塵・埃、残留塩素、トリハロメタン、一般細菌、カビ類、サビ、カルキ臭、または、カビ臭等）を除去する浄水処理部６と、不純物が除去された水道水中にイオン化した放射性物質を除去する放射性物質処理部７と、を具備し、放射性物質で汚染された水道水を純水にしてスパウト４の吐出口５から吐出するように構成される、水栓１とする。【選択図】図１
2014058794.tif 000002
【特許請求の範囲】
【請求項１】
放射性物質で汚染された水道水中の不純物を除去する浄水処理部と、
前記不純物が除去された水道水中のイオン化した放射性物質を除去する放射性物質処理部と、
を具備し、
前記放射性物質で汚染された水道水を純水にしてスパウトの吐出口から吐出するように構成される、水栓。
【請求項２】
前記放射性物質処理部は、イオン交換樹脂を濾材とする純水カートリッジで構成される、
請求項１に記載の水栓。
【請求項３】
前記放射性物質処理部は、前記スパウト内に配置される、
請求項２に記載の水栓。
【発明の詳細な説明】
【技術分野】
【０００１】
本発明は、水栓の技術に関する。
【背景技術】
【０００２】
従来、キッチンの流し台に固定して配置される水栓の技術は、種々知られている。
また、前記水栓には、水道水中の不純物（塵・埃、残留塩素、トリハロメタン、一般細菌、カビ類、サビ、カルキ臭、または、カビ臭等）を除去する浄水処理部を具備するものが公知となっている（特許文献１参照）。
前記水栓の浄水処理部は、水道水中の不純物を除去可能な活性炭、濾過膜（中空糸膜、または、不織布フィルタ）、逆浸透膜（ＲＯ膜）フィルタ、若しくは、セラミック、または、これらの複数の組み合わせたものを濾材とする、浄水カートリッジ（浄水器）で構成される。
【先行技術文献】
【特許文献】
【０００３】
【特許文献１】特開２００６−１８３３８３号公報
【発明の概要】
【発明が解決しようとする課題】
【０００４】
しかしながら、水道水が放射性物質で汚染されている場合（水道水中の不純物に放射性物質が付着する場合、または、水道水中に放射性物質がイオン化する場合）がある。
このように、水道水が放射性物質で汚染されている場合には、前記水栓の浄水処理部では、当該水道水中のイオン化した放射性物質を除去することができない。
【０００５】
ここで、イオン交換樹脂を用いて水中のイオン化した放射性物質を除去する技術が知られている。
もっとも、水道水が放射性物質で汚染されている場合において、イオン交換樹脂を濾材とするもの（例えば、純水カートリッジ）を水栓に設けても、当該水道水中の放射性物質が付着する不純物を十分に除去することができない。
【０００６】
本発明は以上の如き状況に鑑みてなされたものであり、放射性物質で汚染された水道水から放射性物質を確実に除去することができる水栓を提供することを課題とする。
【課題を解決するための手段】
【０００７】
本発明の解決しようとする課題は以上の如くであり、次にこの課題を解決するための手段を説明する。
【０００８】
即ち、請求項１においては、放射性物質で汚染された水道水中の不純物を除去する浄水処理部と、前記不純物が除去された水道水中のイオン化した放射性物質を除去する放射性物質処理部と、を具備し、前記放射性物質で汚染された水道水を純水にしてスパウトの吐出口から吐出するように構成される水栓としたものである。
【０００９】
請求項２においては、前記放射性物質処理部は、イオン交換樹脂を濾材とする純水カートリッジで構成されるものである。
【００１０】
請求項３においては、前記放射性物質処理部は、前記スパウト内に配置されるものである。
【発明の効果】
【００１１】
本発明の効果として、以下に示すような効果を奏する。
【００１２】
即ち、本発明によれば、放射性物質で汚染された水道水から放射性物質を確実に除去することができる。
【図面の簡単な説明】
【００１３】
【図１】本発明の実施形態に係る水栓の全体的な構成を示した斜視図。
【図２】同じくブロック図。
【発明を実施するための形態】
【００１４】
次に、本発明の実施形態に係る水栓１について、図１または図２を用いて説明する。
なお、図中に示す黒色矢印は、水道水の流通方向を示すものとして説明する。
【００１５】
水栓１は、図１または図２に示すように、キッチンの流し台に固定して配置される混合水栓である。
水栓１は、本体部２、ハンドルレバー３、および、スパウト４等を具備して構成される。
水栓１は、本体部２、ハンドルレバー３、および、スパウト４がキッチンの流し台の上方に位置するように配置される。
水栓１は、キッチンの流し台の下方においてボイラーおよび水道管にそれぞれ接続されて、本体部２に流入した水道水（原水）、湯、または、水道水と湯との混合水を、スパウト４の吐出口５から吐出するように構成される。
水栓１は、ハンドルレバー３を操作することによって本体部２内に配置されるカートリッジ（不図示）を作動させて、水道水、湯、または、混合水の吐水または止水の切替え、または、水道水、湯、または、混合水の吐出量の調節を行えるように構成される。
【００１６】
また、水栓１は、浄水処理部６と、放射性物質処理部７と、を具備し、放射性物質で汚染された水道水を純水にしてスパウト４の吐出口５から吐出するように構成される。ここで、水栓１が吐出する水道水は、厳格な意味における純水でなくてもよく、放射性物質で汚染された水道水から人体に影響を及ぼさない程度に当該放射性物質が除去されたものを示す。
【００１７】
水栓１の浄水処理部６は、放射性物質で汚染された水道水中の不純物（塵・埃、残留塩素、トリハロメタン、一般細菌、カビ類、サビ、カルキ臭、または、カビ臭等）を除去するように構成される。水栓１の浄水処理部６は、前記水道水中の放射性物質が付着する不純物を除去するように構成される。
水栓１の浄水処理部６は、水道水中の不純物を除去可能な活性炭、濾過膜（中空糸膜、または、不織布フィルタ）、逆浸透膜（ＲＯ膜）フィルタ、若しくは、セラミック、または、これらの複数の組み合わせたものを濾材とする、浄水カートリッジ（浄水器）で構成される。そして、水栓１は、既設の浄水処理部６（浄水カートリッジ）を新しいものに交換可能に構成される。
水栓１の浄水処理部６は、放射性物質処理部７よりも上流側に配置される。水栓１の浄水処理部６は、キッチンの流し台の下方に配置される。
水栓１の浄水処理部６は、流入管８および流出管９を介して本体部２に接続されて、流入管８を介して本体部２から水道水が流入し、また、不純物が除去された水道水が流出管９を介して浄水処理部６から本体部２に流出するように構成される。
【００１８】
水栓１の放射性物質処理部７は、水道水中のイオン化した放射性物質を除去するように構成される。水栓１の放射性物質処理部７は、前記浄水処理部６において不純物が除去された水道水中のイオン化した放射性物質を除去するように構成される。
水栓１の放射性物質処理部７は、前記浄水処理部６において不純物が除去された水道水中のイオン化した放射性物質を除去可能なイオン交換樹脂を濾材とする純水カートリッジで構成される。そして、水栓１は、既設の放射性物質処理部７（純水カートリッジ）を新しいものに交換可能に構成される。
水栓１の放射性物質処理部７は、浄水処理部６よりも下流側に配置される。水栓１の放射性物質処理部７は、水栓１のスパウト４内に配置される。
水栓１の放射性物質処理部７は、水栓１内において本体部２と連通し、本体部２から水道水が流入し、また、前記浄水処理部６において不純物が除去された水道水がスパウト４の先端側（吐出口５側）に流出するように構成される。
【００１９】
このようにして、水栓１は、放射性物質で汚染された水道水が本体部２から浄水処理部６に流入すると、当該水道水中の放射性物質が付着する不純物が浄水処理部６において除去されて、当該放射性物質が付着する不純物が除去された水道水（放射性物質で汚染された水道水）が本体部２に再び流出し、次いで、前記浄水処理部６において放射性物質で汚染された不純物が除去された水道水が本体部２を介して放射性物質処理部７に流入すると、当該水道水中のイオン化した放射性物質が放射性物質処理部７において除去されて、当該水道水を純水としてスパウト４の吐出口５から吐出するように構成される。
このため、放射性物質で汚染された水道水中の不純物（放射性物質が付着する不純物）を除去する浄水処理部６と、当該不純物が除去された水道水中のイオン化した放射性物質を除去する放射性物質処理部７と、を具備し、放射性物質で汚染された水道水を純水にしてスパウト４の吐出口５から吐出するように構成される水栓１によれば、放射性物質で汚染された水道水から放射性物質を確実に除去することができる。
【００２０】
ここで、水栓１は、切替レバー１０を具備し、切替レバー１０を操作することによって、本体部２内において湯および混合水の流路を遮断して、水道水のみが浄水処理部６に流入するように（湯および混合水が浄水処理部６に流入しないように）構成される。
【００２１】
また、水栓１の放射性物質処理部７は、イオン交換樹脂を濾材とする純水カートリッジで構成される。
そして、水栓１は、既設の放射性物質処理部７（純水カートリッジ）を新しいものに交換可能に構成される。
このため、水栓１では、放射性物質処理部７（純水カートリッジ）の濾材が劣化して製品寿命がきたときに、既設の放射性物質処理部７（純水カートリッジ）を新しいものに交換することで、放射性物質で汚染された水道水を純水にしてスパウト４の吐出口５から吐出するように構成される水栓１としてこれを継続して使用することができる。
【００２２】
また、水栓１の放射性物質処理部７は、スパウト４内に配置される。
つまり、水栓１の放射製物質処理部は、キッチンの流し台の上方に位置するように配置される。
このため、水栓１によれば、キッチンの流し台の上方において、既設の放射製物質処理部（純水カートリッジ）を新しい物に交換することができる。
したがって、水栓１によれば、キッチンの流し台の下方に放射製物質処理部が配置されるものに比べて、放射製物質処理部（純水カートリッジ）の交換作業を容易に行うことができる。
【００２３】
水栓１は、切替スイッチ１１を具備し、切替スイッチ１１を操作することによって、放射性物質処理部７に水道水、湯、または、混合水が流入する流路を遮断して、水道水、湯、または、混合水が、放射性物質処理部７を経由せずに（放射性物質処理部７に流入せずに）、スパウト４の吐出口５から吐出可能に構成される。
【００２４】
水栓１は、定流量弁（不図示）を具備し、スパウト４の吐出口５から吐出される、水道水、湯、または、混合水の流量が所定の量以下（流速が所定の速度以下）に保持されるように構成される。水栓１の定流量弁は、例えば、スパウト内に配置される。
このため、水栓１では、スパウト４の吐出口５から吐出される水道水の流量が多いために、放射性物質で汚染された水道水中の不純物（放射性物質が付着する不純物）を浄水処理部６において十分に除去することができずに、また、放射性物質で汚染された水道水のイオン化した放射性物質を放射性物質処理部７において十分に除去することができずに、スパウト４の吐出口５から放射性物質で汚染された水道水が吐出されることを防止することができる。
【符号の説明】
【００２５】
１    水栓
２    本体部
３    ハンドルレバー
４    スパウト
５    吐出口
６    浄水処理部
７    放射性物質処理部
【図１】
2014058794.tif 000003
【図２】
2014058794.tif 000004